(57)【要約】【課題】音声演出の進み具合と、大当り遊技の進み具合とから、大入賞口への入賞し易さが判断し難い遊技機を提供すること。【解決手段】本発明の遊技機は、大当り遊技が提供されているとき、所定時間の音声演出を行う音声演出手段と、前記大当り遊技の開始時から前記音声演出の開始時までの第１期間、及び／又は前記音声演出を途中で中断する第２期間を設定する期間設定手段とを備え、前記期間設定手段は、長さが異なる複数の期間データを有しており、前記複数の期間データからランダムに選択した期間データを、前記第１期間、及び／又は前記第２期間として設定することを特徴とする。【選択図】図４
2010162201.tif 000002
【特許請求の範囲】
【請求項１】
始動信号の入力に基づいて、予め設定された確率で、遊技者にとって有利な大当り遊技を提供するかの抽選を行う抽選手段と、
遊技図柄を変動表示させ、その後に、前記抽選手段の抽選結果が前記大当り遊技を提供するとの結果であった場合は、前記遊技図柄のうち、大当り図柄を停止表示し、前記抽選手段の抽選結果が前記大当り遊技を提供しないとの結果であった場合は、前記遊技図柄のうち、前記大当り図柄以外の図柄を停止表示する図柄表示手段と、
前記抽選手段による抽選の結果が、前記大当り遊技を提供するとの結果であった場合は、少なくとも大入賞口への遊技球の入賞に応じて進行する前記大当り遊技を提供する大当り遊技提供手段と、
前記大当り遊技が提供されているとき、所定時間の音声演出を行う音声演出手段と、
前記大当り遊技の開始時から前記音声演出の開始時までの第１期間、及び／又は前記音声演出を途中で中断する第２期間を設定する期間設定手段と、を備え、
前記期間設定手段は、長さが異なる複数の期間データを有しており、前記複数の期間データからランダムに選択した期間データを、前記第１期間、及び／又は前記第２期間として設定することを特徴とする遊技機。
【請求項２】
所定の条件が充足されたとき、遊技者にとって通常の状態よりも有利な特別遊技状態とする特別遊技状態実現手段を備え、
前記期間設定手段が、前記複数の期間データのうちで、長さが所定値以下のものを選択する確率は、前記所定の条件が充足された場合の方が、前記所定の条件が充足されない場合よりも高いことを特徴とする請求項１記載の遊技機。
【請求項３】
前記期間設定手段は、前記所定の条件が充足された場合は、前記複数の期間データのうちで、長さが最短であるものを選択することを特徴とする請求項２記載の遊技機。
【請求項４】
前記図柄表示手段が停止表示する遊技図柄が、前記大当り図柄のうちの、所定の特定大当り図柄である場合は、遊技者にとって通常の状態よりも有利な特別遊技状態を開始させる特別遊技状態開始手段と、
前記特別遊技状態において、前記図柄表示手段が停止表示する遊技図柄が、前記特定大当り図柄以外の前記大当り図柄である場合は、前記特別遊技状態を終了させる特別遊技状態終了手段と、を備え、
前記特別遊技状態において、前記図柄表示手段が、前記特定大当り図柄以外の前記大当り図柄を停止表示した場合、前記期間設定手段が、前記複数の期間データのうちで、長さが所定値以上のものを選択する確率は、前記特定大当り図柄を停止表示した場合よりも高いことを特徴とする請求項１記載の遊技機。
【請求項５】
前記特別遊技状態において、前記図柄表示手段が、前記特定大当り図柄以外の前記大当り図柄を停止表示した場合、前記期間設定手段は、前記複数の期間データのうちで、長さが最長であるものを選択することを特徴とする請求項４記載の遊技機。
【請求項６】
前記大当り遊技が連続して提供される場合、前記期間設定手段は、後の大当り遊技ほど、選択した前記期間データが長くなるように、前記期間データの選択を行うことを特徴とする請求項２〜５のいずれかに記載の遊技機。
【請求項７】
前記特別遊技状態とは、
前記確率が通常の確率よりも高い確率変動状態、又は、前記図柄表示手段が変動表示を行う時間が通常よりも短い時短状態であることを特徴とする請求項２〜６のいずれかに記載の遊技機。
【請求項８】
前記第２期間の開始タイミングをランダムに設定する第２期間開始タイミング設定手段を備えることを特徴とする請求項１〜７のいずれかに記載の遊技機。
【請求項９】
始動信号の入力に基づいて、予め設定された確率で、遊技者にとって有利な大当り遊技を提供するかの抽選を行う抽選手段と、
前記抽選手段による抽選の結果が、前記大当り遊技を提供するとの結果であった場合は、大入賞口への遊技球の入賞に応じて進行する前記大当り遊技を提供する大当り遊技提供手段と、
前記大当り遊技が提供されているとき、所定時間の音声演出を行う音声演出手段と、
前記大当り遊技の開始後であって、前記音声演出が終了するまでの間に、第１のタイミングを設定する第１のタイミング設定手段と、
遊技者の入力を受け付ける入力手段と、
前記遊技者の入力があったタイミングに応じて、第２のタイミングを設定する第２のタイミング設定手段と、
前記第１のタイミングから、前記第２のタイミングまで、前記音声演出を延期又は中断する延期中断手段と、
を備えることを特徴とする遊技機。
【請求項１０】
前記第１のタイミング設定手段は、前記第１のタイミングをランダムに設定することを特徴とする請求項９記載の遊技機。
【発明の詳細な説明】
【技術分野】
【０００１】
本発明は大当り遊技中に音声演出を行う遊技機に関する。
【背景技術】
【０００２】
従来、遊技機においては、大当り遊技の始めから、楽曲を再生する演出（音声演出）を行うことがあった。楽曲の再生時間は、一定（例えば４分）に決まっている。
【０００３】
一方、大当り遊技は、一般的に、大入賞口が開き、遊技球が所定個数（例えば１０個）入賞するか、大入賞口が開いてから所定時間（例えば３０秒）経過したときに大入賞口が閉じるというラウンドを所定回数（例えば１５回）繰り返すというものである。通常は、所定時間が経過する前に、大入賞口に所定個数の遊技球の入賞があるので、１ラウンドに要する時間は、大入賞口が開いてから、そこに所定個数の遊技球が入賞するまでの時間となる。大入賞口に所定個数の遊技球が入賞するのに要する時間は、遊技機の釘調整が良い（大入賞口に入賞し易い）か、釘調整が悪い（大入賞口に入賞し難い）かに左右される。従って、釘調整が良いと、１ラウンドに要する時間は短くなり、釘調整が悪いと、１ラウンドに要する時間が長くなる。
【０００４】
上述したように、楽曲の再生時間は一定であるのに、大当り遊技の進行の早さ（１ラウンドに要する時間）は釘調整の良否によって変動するので、大当り遊技の途中で楽曲の再生が終了する場合、楽曲の再生が終了した時点で、大当り遊技が何ラウンドまで進んでいるかは、釘調整の良否により変動する。例えば、同じ機種、同じ楽曲であっても、釘調整が良好である場合は、ラウンドの進行が早く、楽曲の再生終了時に１２ラウンドまで終了していたが、釘調整が悪い場合は、ラウンドの進行が遅く、楽曲の再生終了時に、１０ラウンドまでしか進行していない、ということが起こる。また、楽曲の再生を繰り返すような遊技機において、楽曲の再生の途中で大当り遊技が終了する場合、大当り遊技の終了した時点で、楽曲の再生がどこまで進んでいるかは、釘調整の良否により変動する。
【０００５】
そこで、前回の大当り時間に応じて、楽曲を再生するときのテンポを変更し、大当り遊技の進行と、楽曲の再生の進行とを合わせようとする技術が開示されている（特許文献１参照）。
【０００６】
また、大入賞口の１ラウンド毎の開放時間を計測し、開放時間に応じて次に大入賞口が開放されるまでのインターバル時間を変えることにより、特別遊技の消化時間と楽曲の演奏時間とを一致させる技術が開示されている（特許文献２参照）。
【先行技術文献】
【特許文献】
【０００７】
【特許文献１】特開２００５−４０５２２号公報
【特許文献２】特開２００８−３６１７９号公報
【発明の概要】
【発明が解決しようとする課題】
【０００８】
上記のように、釘調整の良否により、楽曲の再生が終了したときに何ラウンドまで進行していたかが異なると、遊技者から見れば、楽曲の再生が終了した時点でのラウンドの進行程度により、釘調整の良否を判断することができる。また、大当り遊技が終了した時点で、楽曲の再生がどこまで進行していたかが異なると、遊技者から見れば、大当り遊技が終了した時点での楽曲の再生の進行程度により、釘調整の良否を判断することができる。
【０００９】
釘調整が良い遊技機の方が、大当り遊技中に使用する遊技球の数が少なくて済み、最終的に獲得できる賞球が多くなるため、遊技者は、釘調整が良い遊技機を選択し、釘調整が悪い遊技機を避ける。その結果、遊技店は、釘調整がやりにくくなっていた。
【００１０】
特許文献１の技術のように、楽曲を再生するときのテンポを変更すると、テンポが早い遊技機では釘調整が良く、テンポが遅い遊技機では釘調整が悪いことが、遊技者に分かってしまう。また、特許文献２の技術のように、インターバル時間を変え、大当り遊技の時間を変更することは、規則により禁止されている。
【００１１】
本願発明は以上の点に鑑みなされたものであり、音声演出の進み具合と、大当り遊技の進み具合とから、大入賞口への入賞し易さが判断し難い遊技機を提供することを目的とする。
【課題を解決するための手段】
【００１２】
（１）請求項１の発明は、
始動信号の入力に基づいて、予め設定された確率で、遊技者にとって有利な大当り遊技を提供するかの抽選を行う抽選手段と、遊技図柄を変動表示させ、その後に、前記抽選手段の抽選結果が前記大当り遊技を提供するとの結果であった場合は、前記遊技図柄のうち、大当り図柄を停止表示し、前記抽選手段の抽選結果が前記大当り遊技を提供しないとの結果であった場合は、前記遊技図柄のうち、前記大当り図柄以外の図柄を停止表示する図柄表示手段と、前記抽選手段による抽選の結果が、前記大当り遊技を提供するとの結果であった場合は、少なくとも大入賞口への遊技球の入賞に応じて進行する前記大当り遊技を提供する大当り遊技提供手段と、前記大当り遊技が提供されているとき、所定時間の音声演出を行う音声演出手段と、前記大当り遊技の開始時から前記音声演出の開始時までの第１期間、及び／又は前記音声演出を途中で中断する第２期間を設定する期間設定手段と、を備え、前記期間設定手段は、長さが異なる複数の期間データを有しており、前記複数の期間データからランダムに選択した期間データを、前記第１期間、及び／又は前記第２期間として設定することを特徴とする遊技機を要旨とする。
【００１３】
本発明の遊技機は、大当り遊技を提供する際、音声演出が始まる前に、長さがランダムに設定された第１期間を設定するか、音声演出を途中で中断して、長さがランダムに設定された第２期間を設定するか、又はその両方を設定することができる。この場合、大当り遊技の開始から音声演出が終了するまでの時間が、大当り遊技ごとにばらばらになる。
【００１４】
そのため、遊技者は、音声演出が終了する時点を基準として、大当り遊技の進行の早さ（大入賞口への入賞し易さ、遊技機における釘調整の良否）を判断することができない。
【００１５】
本発明の遊技機では、音声演出が終了する前に、大当たり遊技が終了する場合があってもよい。特に、第２期間の途中で、大当たり遊技が終了する場合（すなわち、音声演出が途中で中断され、再開することなく大当たり遊技が終了する場合）があってもよい。第２期間の長さを大当たり遊技の長さに比べて十分長く（あるいは無制限に長く）することにより、第２期間の途中で大当たり遊技を終了させることができる。音声演出が終了する前に大当たり遊技が終了する場合も、遊技者は、音声演出が終了する時点を基準として、大当り遊技の進行の早さを判断することができない。
【００１６】
前記第１期間、及び前記第２期間において、例えば、様々な演出を行うことができる。その演出としては、例えば、確変昇格演出、ラウンド数昇格演出、クイズの出題等が挙げられる。演出としては、演出の開始時から所定期間経過したときの内容が、演出を実行するごとにばらばらであるものが好ましい。こうすることにより、大当り遊技が所定のタイミング（例えば大当り遊技の終了時や所定のラウンドに突入したタイミング）に至った時点における演出の内容から、大当り遊技の進行の早さを判断することが一層困難になる。
【００１７】
前記第１期間、及び前記第２期間は、それらのうちの一方のみを設定してもよいし、両方を設定してもよい。
【００１８】
前記大当り図柄以外の図柄としては、例えば、外れ図柄、小当り図柄、中当り図柄等がある。
（２）請求項２の発明は、
所定の条件が充足されたとき、遊技者にとって通常の状態よりも有利な特別遊技状態とする特別遊技状態実現手段を備え、前記期間設定手段が、前記複数の期間データのうちで、長さが所定値以下のものを選択する確率は、前記所定の条件が充足された場合の方が、前記所定の条件が充足されない場合よりも高いことを特徴とする請求項１記載の遊技機を要旨とする。
【００１９】
本発明の遊技機は、所定の条件が充足され、大当り遊技の後、特別遊技状態になる場合は、特別遊技状態にならない場合よりも高い確率で、その大当り遊技における期間データとして、長さが所定値以下のものを選択する。そのことで、遊技者は、楽曲をじっくりと聴くことができる。また、特別遊技状態が終了した後は、期間データが相対的に長くなり、音声演出の終了時に、大当り遊技が先に進んでいるので、大当り遊技の進行が早い（大入賞口へ入賞し易く、遊技機における釘調整が良い）という印象を遊技者に与えることができる。
【００２０】
本発明では、例えば、所定の条件が充足された場合は、テーブルＡから期間データを選択し、所定の条件が充足されない場合は、テーブルＡよりも、長さが所定値以下の期間データの割合が低いテーブルＢから期間データを選択するようにすることができる。このテーブルＡは、全てが、長さが所定値以下の期間データであってもよいし、長さが所定値を超える期間データを一部含んでいてもよい。
（３）請求項３の発明は、
前記期間設定手段は、前記所定の条件が充足された場合は、前記複数の期間データのうちで、長さが最短であるものを選択することを特徴とする請求項２記載の遊技機を要旨とする。
【００２１】
本発明の遊技機は、所定の条件が充足され、大当り遊技の後、特別遊技状態になる場合は、その大当り遊技における期間データとして、長さが最短であるものを選択する。そのことで、遊技者は、楽曲をじっくりと聴くことができる。また、長さが最短である期間データを選択することで、楽曲を聴く時間が長くなるため、長い楽曲が使用されている場合でも、楽曲を最後まで聴くことができる可能性が高くなる。また、特別遊技状態が終了した後は、期間データが相対的に長くなり、音声演出の終了時に、大当り遊技が先に進んでいるので、大当り遊技の進行が早い（大入賞口へ入賞し易く、遊技機における釘調整が良い）という印象を遊技者に与えることができる。
（４）請求項４の発明は、
前記図柄表示手段が停止表示する遊技図柄が、前記大当り図柄のうちの、所定の特定大当り図柄である場合は、遊技者にとって通常の状態よりも有利な特別遊技状態を開始させる特別遊技状態開始手段と、前記特別遊技状態において、前記図柄表示手段が停止表示する遊技図柄が、前記特定大当り図柄以外の前記大当り図柄である場合は、前記特別遊技状態を終了させる特別遊技状態終了手段と、を備え、前記特別遊技状態において、前記図柄表示手段が、前記特定大当り図柄以外の前記大当り図柄を停止表示した場合、前記期間設定手段が、前記複数の期間データのうちで、長さが所定値以上のものを選択する確率は、前記特定大当り図柄を停止表示した場合よりも高いことを特徴とする請求項１記載の遊技機を要旨とする。
【００２２】
本発明の遊技機は、特別遊技状態において、図柄表示手段が、特定大当り図柄以外の大当り図柄を停止表示し、特別遊技状態を終了させた場合は、特定大当り図柄を停止表示した場合よりも高い確率で、長さが所定値以上の期間データを選択する。
【００２３】
特別遊技状態を終了するときは、遊技者が遊技を止めやすいタイミングであるが、本発明では、特別遊技状態が終了したときの大当り遊技において、長い期間データを選択し、音声演出が終了したとき、大当り遊技が先に進んでいるので、大当り遊技の進行が早い（大入賞口へ入賞し易く、遊技機における釘調整が良い）という印象を遊技者に与え、遊技者が遊技を止めてしまうことを防止できる。
【００２４】
本発明では、例えば、特別遊技状態において、図柄表示手段が、特定大当り図柄以外の大当り図柄を停止表示した場合は、テーブルＡから期間データを選択し、特定大当り図柄を停止表示した場合は、テーブルＡよりも、長さが所定値以上の期間データの割合が低いテーブルＢから期間データを選択するようにすることができる。このテーブルＡは、全てが、長さが所定値以上の期間データであってもよいし、長さが所定値未満の期間データを一部含んでいてもよい。
【００２５】
前記特別遊技状態終了手段は、例えば、大当り遊技の開始時に、前記特別遊技状態を終了させることができる。
（５）請求項５の発明は、
前記特別遊技状態において、前記図柄表示手段が、前記特定大当り図柄以外の前記大当り図柄を停止表示した場合、前記期間設定手段は、前記複数の期間データのうちで、長さが最長であるものを選択することを特徴とする請求項４記載の遊技機を要旨とする。
【００２６】
本発明の遊技機は、特別遊技状態において、図柄表示手段が、特定大当り図柄以外の大当り図柄を停止表示し、特別遊技状態を終了させた場合、最も長い期間データを選択する。
【００２７】
特別遊技状態を終了するときは、遊技者が遊技を止めやすいタイミングであるが、本発明では、特別遊技状態が終了したときの大当り遊技において、最も長い期間データを選択し、音声演出が終了したとき、大当り遊技が先に進んでいるので、大当り遊技の進行が早い（大入賞口へ入賞し易く、遊技機における釘調整が良い）という印象を遊技者に与え、遊技者が遊技を止めてしまうことを防止できる。
（６）請求項６の発明は、
前記大当り遊技が連続して提供される場合、前記期間設定手段は、後の大当り遊技ほど、選択した前記期間データが長くなるように、前記期間データの選択を行うことを特徴とする請求項２〜５のいずれかに記載の遊技機を要旨とする。
【００２８】
本発明の遊技機によれば、連続する大当り遊技において、後の大当り遊技になるほど、期間データの長さを除々に長くすることにより、音声演出の終了時に、大当り遊技が先まで進むようにできるので、大当り遊技の進行が早い（大入賞口へ入賞し易く、遊技機における釘調整が良い）という印象を遊技者に与えることができる。しかも、期間データの長さが、大当り遊技ごとに、徐々に変わるので、期間データの長さが変わったことに遊技者が気付き難く、違和感を持つことがない。
（７）請求項７の発明は、
前記特別遊技状態とは、前記確率が通常の確率よりも高い確率変動状態、又は、前記図柄表示手段が変動表示を行う時間が通常よりも短い時短状態であることを特徴とする請求項２〜６のいずれかに記載の遊技機であることを要旨とする。
【００２９】
本発明は、特別遊技状態を例示する。
【００３０】
特別遊技状態としては、例えば、以下のものが挙げられる。
(i)まず、確率変動状態となり、所定の契機（例えば、大当り、図柄の始動回数、乱数抽選の回数）によって確率変動状態は終了するが、代わって、時短状態になるもの。
(ii)確率変動状態であって、その確率変動状態は、上記(i)の契機により終了するもの。
(iii) 確率変動状態であり、且つ時短状態であって、上記(i)の契機により、確率変動状態及び時短状態が終了するもの。
(iv)まず、確率変動状態、且つ時短状態となり、上記(i)の契機により、時短状態のみが終了するもの
特別遊技状態は、その他、遊技者に有利な状態であれば、どのような状態であってもよい。また、上記所定の契機は、上述したもの以外であってもよい。
（８）請求項８の発明は、
前記第２期間の開始タイミングをランダムに設定する第２期間開始タイミング設定手段を備えることを特徴とする請求項１〜７のいずれかに記載の遊技機を要旨とする。
【００３１】
本発明の遊技機は、第２期間の開始タイミングをランダムに設定するため、音声演出の進行具合を基準にして、大当り遊技の進行の早さ（大入賞口への入賞し易さ、遊技機における釘調整の良否）を判断することが一層困難になる。
（９）請求項９の発明は、
始動信号の入力に基づいて、予め設定された確率で、遊技者にとって有利な大当り遊技を提供するかの抽選を行う抽選手段と、前記抽選手段による抽選の結果が、前記大当り遊技を提供するとの結果であった場合は、大入賞口への遊技球の入賞に応じて進行する前記大当り遊技を提供する大当り遊技提供手段と、前記大当り遊技が提供されているとき、所定時間の音声演出を行う音声演出手段と、前記大当り遊技の開始後であって、前記音声演出が終了するまでの間に、第１のタイミングを設定する第１のタイミング設定手段と、遊技者の入力を受け付ける入力手段と、前記遊技者の入力があったタイミングに応じて、第２のタイミングを設定する第２のタイミング設定手段と、前記第１のタイミングから、前記第２のタイミングまで、前記音声演出を延期又は中断する延期中断手段と、を備えることを特徴とする遊技機を要旨とする。
【００３２】
遊技者が入力したタイミングに応じて設定される第２のタイミングは不定期であるため、音声演出が終了するタイミングも不定期となる。そのため、遊技者は、音声演出が終了するタイミングを基準として、大当り遊技の進行の早さ（大入賞口への入賞し易さ、遊技機における釘調整の良否）を判断することができない。
【００３３】
前記第２のタイミングとしては、例えば、遊技者の入力があったタイミング自体であってもよいし、遊技者の入力があったタイミングから、所定期間が経過したタイミングとしてもよい。また、第１のタイミングから演出を始めている場合は、遊技者の入力があったタイミングの後、演出における所定の区切りに到達したタイミングとすることができる。
（１０）請求項１０の発明は、
前記第１のタイミング設定手段は、前記第１のタイミングをランダムに設定することを特徴とする請求項９記載の遊技機を要旨とする。
【００３４】
本発明の遊技機は、第１のタイミングをランダムに設定するため、音声演出の進行具合を基準にして、大当り遊技の進行の早さ（大入賞口への入賞し易さ、遊技機における釘調整の良否）を判断することが一層困難になる。
【図面の簡単な説明】
【００３５】
【図１】遊技機１の構成を表す正面図である。
【図２】遊技機１の電気的構成を表すブロック図である。
【図３】始動信号が出力されたときに遊技機１が実行する処理を表すフローチャートである。
【図４】大当り遊技における処理を表すタイムチャートである。
【図５】特別演出（確変昇格演出）を表す説明図である。
【図６】特別演出（確変昇格演出）を表す説明図である。
【図７】特別演出（クイズ出題）を表す説明図である。
【図８】特別演出（ラウンド数昇格演出）を表す説明図である。
【図９】遊技機１の電気的構成を表すブロック図である。
【発明を実施するための形態】
【００３６】
以下に本発明の実施形態について図面をもとに説明する。
【００３７】
１．第１の実施形態
（１）遊技機１の構成
図１に基づいて遊技機１の構成を説明する。図１は本発明が適用された遊技機１の正面図である。遊技機１は、図示しない遊技場に来場した遊技者にパチンコ遊技を提供するものであって、図示しない遊技島に取り付けられる外枠３と、外枠３に開閉可能に取り付けられた内枠５と、内枠５に取り付けられ、遊技者に対面して配置された遊技盤７と、遊技者が遊技行為を行うために遊技盤７上に遊技球８を発射するためのハンドル９と、遊技盤７における遊技行為の結果として提供される賞品、ここでは遊技球８（賞品として払い出される遊技球８を賞品球と言う。）を貯留する上受け皿１１と、上受け皿１１から排出される遊技球８を受ける下受け皿１３と、遊技者が操作可能な操作部１５と、内枠５に取り付けられ、遊技を提供するための制御を行う主制御基板４１とを備えている。操作部１５は、第１操作ボタン１５ａ、第２操作ボタン１５ｂ、及び第３操作ボタン１５ｃを備えており、それぞれ、独立して押圧可能である。
【００３８】
遊技者に対面する遊技盤７は、遊技者から見える位置に、遊技者に興趣のある図柄を提供する図柄表示装置２１と、始動入賞口１７と、拡大し始動入賞口１７へ入賞しやすくする機能を有する普通電動役物１８とを備え、入賞口１７と、普通電動役物１８とから遊技球８が入賞すると、特別図柄始動信号を出力する図示しない入賞センサと、大入賞口２５を備え、大入賞口２５を開放することにより大量の賞品球を提供する機能を有する特別電動役物２４と、大入賞口２５の左側に位置し、遊技球８が入賞する左入賞口２７と、大入賞口２５の右側に位置し、遊技球８が入賞する右入賞口２９と、特別図柄遊技の結果を表示する特別図柄表示装置３１と、特別図柄遊技の保留数を表示する特別図柄記憶表示装置３３と、遊技球８が通過すると、普通図柄遊技用の普通図柄始動信号を出力する機能を有する普通図柄始動ゲート３５と、普通図柄遊技の結果を表示する普通図柄表示装置３７と、普通図柄遊技の保留数を表示する普通図柄記憶表示装置３９とを備えている。
【００３９】
また、遊技盤７には、複数の釘３８が設けられており、その調整具合により、各入賞口（特に大入賞口２５）への入賞のし易さが変化する。
【００４０】
また、遊技盤７の左上側には左上スピーカ１１９が設置され、遊技盤７の右上側には右上スピーカ１２９が設置されている。この左上スピーカ１１９と右上スピーカ１２９とは、遊技盤７上に、遊技音や効果音をステレオ音響で出力する機能を有する。
【００４１】
また、遊技盤７の左下側には確率変動中かどうかを表示したり変動時間短縮機能（以降、時短と称す）が作動中（即ち、時短中）かどうか等を表示する状態表示ＬＥＤ３２が設置され、遊技盤７の右下側には、大当り遊技の上限ラウンド数を表示するラウンド表示ＬＥＤ３４が設置されている。
【００４２】
尚、特別図柄表示装置３１は、７セグメントＬＥＤを１個備えた表示器からなり、７つのセグメントそれぞれの点灯・消灯により１００種類の大当り図柄と、１種類の外れ図柄とを特別図柄として変動表示する。また、機種によっては大当りとはならないが、短い時間で大入賞口２５が２回開放する小当り図柄があるものもある。
【００４３】
また、図柄表示装置２１は、左中右の３つの装飾図柄をそれぞれ独立に変動表示させる。本実施形態では、「１」，「２」，「３」，「４」，「５」，「６」，「７」，「８」，「９」，「Ａ」，「Ｂ」，「Ｃ」，「Ｄ」，「Ｅ」の１４種類の装飾図柄が設けられている。
（２）遊技機１の制御系
遊技機１の制御系を図２に基づいて説明する。図２は、遊技機１の制御系のブロック図である。遊技機１は、遊技機１の遊技動作を中心的に制御する主制御基板４１と、図柄表示装置２１、特別図柄表示装置３１、及び普通図柄表示装置３７の動作を制御する図柄制御基板４３と、左上スピーカ１１９及び右上スピーカ１２９を用いて音声演出を実現する音声制御基板４５と、払出モータＭ２を制御して賞品球を払い出す払出制御基板４７と、ＡＣ２４Ｖを受けて装置各部に直流電源を供給する電源基板５１とを中心に構成されている。
【００４４】
主制御基板４１、図柄制御基板４３、音声制御基板４５、及び払出制御基板４７は、それぞれ、ワンチップマイコンを備えるコンピュータ回路が搭載されており、図柄制御基板４３、音声制御基板４５、及び払出制御基板４７は、主制御基板４１からの制御コマンドを受けて個別的な制御動作を行う。その制御動作には、後述するように、大当り遊技のとき、大入賞口２５を開閉する制御動作が含まれる。
【００４５】
また、主制御基板４１には、特別図柄始動信号等、各種信号が入力される。
【００４６】
図柄制御基板４３から、表示装置２１の表示内容と同期した信号を音声制御基板４５に送り、表示装置２１の表示に合わせた音声をスピーカ１１９、１２９において出すことが可能である。
（３）始動入賞時に遊技機１が実行する処理
遊技機１が実行する処理を図３に基づいて説明する。図３は、始動入賞口２３に遊技球が入賞し、始動信号が出力されたときに遊技機１が実行する処理を表すフローチャートである。
【００４７】
図３のステップ１０では、表１に示す各種乱数を取得する。
【００４８】
【表１】
2010162201.tif 000003
大当り乱数、大当り図柄乱数、リーチ判定用乱数、変動パターン選択用乱数は、主制御基板で選択を行うが、その他の乱数は別の基板（図柄制御基板、後述する演出制御基板）で選択することができる。なお、乱数は、機能ごとにそれぞれ設けてもよいし、１つの乱数を２以上の機能に用いるように兼用してもよい。兼用すれば、乱数の種類が少なくて済む。例えば、演出開始タイミング決定乱数を備えず、他の乱数（例えば、大当り図柄乱数等）で特別演出を開始するタイミングを設定してもよい。
【００４９】
上記大当り乱数は、０〜７４６のカウンタから１つ取得される。この大当り乱数は、後に、大当りであるか否かの判定に使用される。
【００５０】
上記大当り図柄乱数は、０〜９９のカウンタから、１つ取得される。この大当り図柄乱数は、後に、最終的に（昇格演出の後で）停止表示される大当り図柄の設定に使用される。また、この大当り図柄乱数は、後述する確率変動（確率変動状態／低確率状態）、時短、及び大当り遊技におけるラウンド数の設定に用いられる。
【００５１】
仮表示図柄乱数は、０〜９９のカウンタから、１つ取得される。この仮表示図柄乱数は、変動表示後、仮に（昇格演出が始まる前に）停止表示される大当り図柄の設定に使用される。
【００５２】
上記リーチ判定用乱数は、０〜８８のカウンタから１つ取得される。このリーチ判定用乱数は、後述する変動表示処理において、リーチを表示するか否かを設定するために使用される。
【００５３】
上記変動パターン選択用乱数は、０〜１３０６のカウンタから１つ取得される。この変動パターン選択用乱数は、変動表示における変動パターンの設定に使用される。
【００５４】
上記演出開始タイミング決定乱数は、１〜１５のカウンタから１つ取得される。この演出開始タイミング決定乱数は、後述するように、特別演出を開始するタイミングの設定に使用される。
【００５５】
上記演出データ決定乱数は、１〜１０のカウンタから１つ取得される。この演出データ決定乱数は、後述するように、演出データを選択するために使用される。
【００５６】
ステップ２０では、前記ステップ１０で取得した大当り乱数が大当りに対応するものであるか否かを判断する。遊技機１は、大当りとなる確率が通常の値である低確率状態と、大当りとなる確率が高い確率変動状態とのうちのどちらかになり得る。低確率状態の場合は、大当り乱数が（３、７）のいずれかであれば大当りであり、それ以外であれば外れである。確率変動状態の場合は、大当り乱数が（１、３、５、７、９、１１、１３、１５、１７、１９、２１、２３、２５、２７、２９、３１、３３、３５、３７、３９）のいずれかであれば大当りであり、それ以外であれば外れである。大当りである場合はステップ３０に進み、外れである場合はステップ８０に進む。
【００５７】
ステップ３０では、Ｎ＜Ｌの数式が成立するか否かを判断する。ここで、Ｎは、確率変動状態となってから、その時点までに、後述する特定大当り図柄が連続して停止表示された回数である。また、Ｌは、確率変動状態のまま、大当りが最大限、連続可能な回数（リミッタ）であり、例えば、Ｌ＝２と設定される。Ｎ＜Ｌの数式が成立する場合はステップ４０へ進む。一方、Ｎ＜Ｌの数式が成立しない場合は、ステップ９０にてＮの値を１にリセットした後、ステップ１００にて低確率状態を設定し、ステップ７０に進む。
【００５８】
ステップ４０では、前記ステップ１０で取得した大当り図柄乱数に基づき、１００種類ある大当り図柄のうち、１つを選択する。大当り図柄には、特定大当り図柄と、非特定大当り図柄との２種類があり、ここで選択した大当り図柄が、特定大当り図柄であるか否かを判断する。
【００５９】
また、前記ステップ１０で取得した仮表示図柄乱数に基づき、１００種類ある大当り図柄のうち、１つを選択する。ただし、大当り図柄乱数に基づき設定した大当り図柄が特定大当り図柄である場合は、特定大当り図柄の中から、１つを選択する。大当り図柄乱数に基づき設定した大当り図柄が非特定大当り図柄である場合は、全ての大当り図柄の中から、１つを選択する。
【００６０】
大当り図柄乱数に基づき設定した大当り図柄が特定大当り図柄である場合はステップ５０に進む。一方、大当り図柄乱数に基づき設定した大当り図柄が非特定大当り図柄である場合は、ステップ９０にてＮの値を１にリセットした後、ステップ１００にて低確率状態を設定し、ステップ７０に進む。
【００６１】
ステップ５０では、Ｎの値を１増加させる。ステップ６０では、遊技機１の状態を、確率変動状態とする。なお、既に確率変動状態である場合は、確率変動状態を維持する。
【００６２】
ステップ７０では、大当り遊技における設定を行う。具体的には、前記ステップ１０で取得した大当り図柄乱数に基づき、大当り遊技におけるラウンド数を、２〜１５ラウンドの中から設定する。なお、ラウンドとは、大入賞口２５が開いてから、そこに遊技球が所定個数（例えば１０個）入賞するか、通しての開放時間が所定時間（例えば３０秒）となって大入賞口が閉じるまでをいう。ラウンド数とは、大当り遊技において、このラウンドを繰り返す回数をいう。
【００６３】
また、前記ステップ１０で取得した演出開始タイミング決定乱数を用い、表２に示すテーブルから、大当り遊技において、特別演出を開始するタイミングを設定する。
【００６４】
【表２】
2010162201.tif 000004
例えば、演出開始タイミング決定乱数が１の場合は大当り時（開始時）を設定し、演出開始タイミング決定乱数が２の場合は２ラウンド目を設定する。
【００６５】
なお、特別演出を開始するタイミングを設定するには、表２に示すテーブルの代わりに、表３に示すテーブルを使用してもよい。
【００６６】
【表３】
2010162201.tif 000005
なお、表２及び表３は、ラウンド数が１５に設定された場合のテーブルである。ラウンド数がＡ（Ａは２〜１４のうちのいずれかの自然数）に設定された場合は、当然ながら、表２は、「大当り遊技の開始時」から、「Ａラウンド目」までの間で、特別演出を開始するタイミングを設定するものになり、表３は、「大当り遊技の開始時から５秒後」から、「Ａラウンド目から５秒後」までの間で、特別演出を開始するタイミングを設定するものになる。例えば、ラウンド数が２に設定された場合の表２の内容を、演出開始タイミング決定乱数が１、３、５、７、９、１１、１３、１５のとき、特別演出を開始するタイミングを「大当り遊技の開始時」に設定し、演出開始タイミング決定乱数が２、４、６、８、１０、１２、１４のとき、特別演出を開始するタイミングを「２ラウンド目」に設定するものとすることができる。ラウンド数が３〜１４に設定された場合でも、上と同様に、表２及び表３の内容を設定することができる。
【００６７】
また、前記ステップ１０で取得した演出データ決定乱数を用い、特別演出の長さを設定する。それには、まず、演出データのテーブルを設定する。演出データのテーブルは、基本的には表４に示すものを用いる。ただし、確率変動状態にある場合は、表４のテーブルの代わりに、表５に示すものを用いる。また、このステップ７０の処理の直前に、非特定大当り図柄を選択するか（前記ステップ４０でＮＯ）、Ｎ≧Ｌとなって（前記ステップ３０でＮＯ）、確率変動状態から、低確率状態に変化した場合は、表４のテーブルの代わりに、表６のテーブルを設定する。
【００６８】
【表４】
2010162201.tif 000006
【００６９】
【表５】
2010162201.tif 000007
【００７０】
【表６】
2010162201.tif 000008
そして、上記のように設定したテーブル（表４、表５、表６のうちのいずれか１つ）から、前記ステップ１０で取得した演出データ決定乱数に対応する特別演出の長さを設定する。例えば、設定したテーブルが表４に示すものであり、演出データ決定乱数が１の場合は、特別演出の長さが５秒に設定される。また、設定したテーブルが表５に示すものであり、演出データ決定乱数が２の場合は、特別演出の長さが５秒に設定される。また、設定したテーブルが表６に示すものであり、演出データ決定乱数が３の場合は、特別演出の長さが１９秒に設定される。
【００７１】
なお、表５のテーブルの代わりに、特別演出の長さが全て５秒（表４に含まれる特別演出の長さの中で最短）である表７のテーブルを用いてもよい。また、表６のテーブルの代わりに、特別演出の長さが全て２３秒（表４に含まれる特別演出の長さの中で最長）である表８のテーブルを用いてもよい。
【００７２】
【表７】
2010162201.tif 000009
【００７３】
【表８】
2010162201.tif 000010
ステップ８０では、図柄表示を行う。特別図柄表示装置３１に様々な遊技図柄を変動表示させ、その後に、所定の図柄を停止表示する。停止表示する図柄は、前記ステップ２０で大当りと判断した場合は、前記ステップ４０で、仮表示図柄乱数に基づき設定した大当り図柄であり、前記ステップ２０で外れと判断した場合は、１種のみ用意された外れ図柄である。なお、リーチ判定用乱数がリーチ表示を行うものである場合は、変動表示から停止表示において、リーチ表示を行う。大当り図柄が停止表示されると、その後、大当り遊技が提供される。
（４）大当り遊技のときに遊技機１が実行する処理
大当り遊技のときに遊技機１が実行する処理を図４のタイムチャートに基づいて説明する。
【００７４】
大当り遊技は、周知の遊技機と同様に、大入賞口２５が開放され、そこに遊技球が入賞し易くなり、大量の賞品球を得ることができる状態である。また、大当り遊技では、大入賞口２５が開いてから、そこに遊技球が所定個数（例えば１０個）入賞するか、通しての開放時間が所定時間（例えば３０秒）となったときに大入賞口が閉じるまでのラウンドが、所定のラウンド数だけ繰り返される。
【００７５】
なお、大当り遊技は、大入賞口の開放時間、大入賞口の開放回数、及び大入賞口への遊技球の入賞のうち、１つでも所定の条件を満たせば進行するものとすることができる。
【００７６】
図４に示すように、大当り遊技が提供されるとき、左上スピーカ１１９及び右上スピーカ１２９（図１参照）を用いて、長さが４分間の楽曲が再生される（音声演出の実行）。また、大当り遊技が提供されるとき、特別演出が行われる。特別演出を開始するタイミングは、上述したように、演出開始タイミング決定乱数により決定される。特別演出を開始するタイミングが大当り時（開始時）に設定されている場合は、図４（ａ）、（ｂ）に示すように、大当り遊技の開始時から、特別演出が行われ、特別演出が終了した直後から、楽曲の再生が開始される。また、特別演出を開始するタイミングが、Ｘラウンド目（Ｘは２から、設定されたラウンド数までのいずれか）と決定されている場合は、Ｘラウンドの開始に合わせて、特別演出が始まる。
【００７７】
この場合、楽曲の再生は、大当り遊技の開始時に始まり、特別演出の開始時が、楽曲の再生中である場合は、図４（ｃ）に示すように、特別演出の開始時から、その終了時まで、楽曲の再生が中断する。そして、特別演出が終了した時点で、楽曲の再生を再開する。楽曲の再生は、中断直前に再生していた部分から再開される。そのため、楽曲の合計再生時間は、中断前と中断後とを合わせて、４分間（楽曲を中断せずに再生したときの長さ）である。
【００７８】
特別演出の長さは、上述したように、演出データ決定乱数を用いて選択された演出データの長さに決定される。特別演出の内容は、次に示すような昇格演出である。大当り遊技が開始された時点では、特別図柄表示装置３１には、仮表示図柄乱数に基づき設定された大当り図柄が表示されている。例えば、仮表示図柄乱数に基づき設定された大当り図柄が「４、４、４」であり、大当り図柄乱数に基づき設定された大当り図柄が「７、７、７」である場合、大当り遊技が開始された時点では、図５（ａ）に示すように、特別図柄表示装置３１には、「４、４、４」が表示されている。昇格演出が開始されると、図５（ｂ）に示すように、特別図柄表示装置３１に表示される大当り図柄が、「４、４、４」→「５、５、５」→「６、６、６」と変動してゆき、最終的に、大当り図柄乱数に基づき設定された「７、７、７」が確定表示される。また、昇格演出における変動のパターンは、図５（ｃ）に示すものであってもよい。図５（ｃ）に示す例では、最終的に、大当り図柄乱数に基づき設定された「６、６、６」を確定表示する。
【００７９】
さらに、昇格演出の別の例として、図６に示すものがある。昇格演出のとき、図柄表示装置２１に、図６（ａ）に示す円２０１を表示する。円２０１は、８つの均等な扇に分割されており、それぞれに１〜８の番号が付されている。また、奇数の番号が付された扇と、偶数の番号が付された扇とは、色が異なる。円２０１の真上には逆三角形のポインタ２０３が表示され、８つの扇のうち、真上の位置に来たものを指し示すように構成されている。
【００８０】
大当り遊技が開始された時点で特別図柄表示装置３１に表示されていた大当り図柄（仮表示図柄乱数に基づいて設定された大当り図柄）が、非特定大当り図柄である場合は、ポインタ２０３は、円２０１のうち、偶数の番号が付された扇を指し示している。一方、大当り遊技が開始された時点で特別図柄表示装置３１に表示されていた大当り図柄が、特定大当り図柄である場合は、ポインタ２０３は、円２０１のうち、奇数の番号が付された扇を指し示している。すなわち、円２０１において奇数の番号が付された扇は、特定大当り図柄を表す。
【００８１】
昇格演出が始まると、図６（ａ）に示すように、円２０１が回転表示され、その後、図６（ｂ）に示すように停止表示される。このとき、大当り図柄乱数に基づき設定された大当り図柄が特定大当り図柄であった場合は、ポインタ２０３は、円２０１のうち、奇数の番号が付された扇を指し示す。一方、大当り図柄乱数に基づき設定された大当り図柄が非特定大当り図柄であった場合は、ポインタ２０３は、円２０１のうち、偶数の番号が付された扇を指し示す。遊技者は、円２０１及びポインタ２０３の表示を見て、大当り図柄が、特定大当り図柄に昇格にしたか否かを知ることができる。
（５）遊技機１が奏する効果
(i)遊技機１は、大当り遊技を提供する際、楽曲の再生が始まる前、又は楽曲の再生を途中で中断して、長さがランダムに設定された特別演出を行うため、大当り遊技の開始から楽曲の再生が終了するまでの時間が、大当り遊技ごとにばらばらになる。
【００８２】
そのため、遊技者は、楽曲の再生が終了する時点を基準として、大当り遊技の進行の早さ（大入賞口２５への入賞し易さ、遊技盤７における釘調整の良否）を判断することができない。
【００８３】
例えば、図４（ａ）に示す場合と、図４（ｂ）に示す場合とでは、特別演出の長さが異なり、その結果として、大当り遊技の開始から楽曲の再生が終了するまでの時間が異なる。そのため、図４（ｂ）に示す場合の方が、図４（ａ）に示す場合よりも、大当り遊技の進行が早かったとしても、楽曲の再生が終了した時点で消化しているラウンド数は、図４（ｂ）の場合の方が多く消化しているとは限らない。なお、図４（ａ）、（ｂ）では、楽曲の再生が終了した時点で消化しているラウンド数が同じとなっているが、常にこうなるわけではなく、図４（ａ）の場合の方がラウンド数を多く消化しているときも、その逆のときもある。
【００８４】
(ii)遊技機１は、大当り遊技の後、確率変動状態となる場合は、その大当り遊技における特別演出の時間を、表５（又は表７）のテーブルから選択することで、短く設定する。そのことで、遊技者は、楽曲をじっくりと聴くことができる。また、特別演出の時間を短く設定することで、楽曲を聴く時間が長くなるため、長い楽曲が使用されている場合でも、楽曲を最後まで聴くことができる可能性が高くなる。また、大当り遊技の後、確率変動状態にならない場合は、その大当り遊技における特別演出の時間が相対的に長くなり、楽曲の再生が終了したとき、大当り遊技が先に進んでいるので、大当り遊技の進行が早い（大入賞口２５へ入賞し易く、遊技盤７における釘調整が良い）という印象を遊技者に与えることができる。
【００８５】
なお、大当り遊技の後、確率変動状態となる場合に、その大当り遊技における特別演出の時間を短く設定すると、楽曲の再生が終了したとき、大当り遊技があまり先に進んでいないことがあるが、遊技者は、確率変動状態のときは、釘調整が悪いと感じても遊技を止めることはない。
【００８６】
(iii)遊技機１は、確率変動状態において、非特定大当り図柄を最終的に（昇格演出の後）停止表示し、大当り遊技の後、確率変動状態にならない場合、その大当り遊技における特別演出の時間を、表６（又は表８）のテーブルから選択することで、長く設定する。
【００８７】
確率変動状態を終了するときは、遊技者が遊技を止めやすいタイミングであるが、遊技機１は、確率変動状態が終了してしまう大当り遊技において、特別演出の時間を長く設定し、楽曲の再生が終了したとき、大当り遊技が先に進んでいるので、大当り遊技の進行が早い（大入賞口２５へ入賞し易く、遊技盤７における釘調整が良い）という印象を遊技者に与え、遊技者が遊技を止めてしまうことを防止できる。
【００８８】
(iv)遊技機１は、特別演出を開始するタイミングをランダムに設定する。そのため、楽曲の進行具合を基準にして、大当り遊技の進行の早さ（大入賞口２５への入賞し易さ、遊技盤７における釘調整の良否）を判断することが一層困難になる。
【００８９】
２．第２の実施形態
本第２の実施形態の遊技機１の構成及び作用は、基本的には前記第１の実施形態と同様であるが一部において相違する。以下では、相違点を中心に説明し、同様の部分の記載は省略乃至簡略化する。
【００９０】
遊技機１は、特別演出の開始タイミングについては、前記第１の実施形態と同様に設定するが（例えば図４（ａ）〜（ｃ））、特別演出の長さは設定しない。特別演出が開始されると、図柄表示装置２１に図７に示すようなクイズと、「１」〜「３」の回答の選択肢が表示される。遊技者は、操作部１５（図１参照）の操作ボタン１５ａを押圧することで、「１」の回答を入力することができる。また、操作ボタン１５ｂを押圧することで、「２」の回答を入力することができる。操作ボタン１５ｃを押圧することで、「３」の回答入力することができる。操作ボタン１５ａ〜１５ｃのいずれかが押圧されると、その入力信号が主制御基板４１に入る。その後、回答が正解であったか否かを図柄表示装置２１に表示してから、特別演出が終了する。回答が正解であったか否かを表示する時間は、固定された時間であってもよいし、ランダムに設定される時間であってもよい。なお、特別演出の開始から回答入力可能期間が経過した場合、その時点で、特別演出が終了する。回答入力可能期間は、固定した時間（例えば１５秒間）であってもよいし、乱数に基づきランダムに長さが設定されてもよいし、特別遊技状態が続いている場合のみ、回答入力可能期間が徐々に短く、あるいは長くなるようにしてもよい。
【００９１】
遊技者が入力を行うタイミングは不定期であるため、楽曲の再生が終了するタイミングも不定期となる。そのため、遊技者は、楽曲の再生が終了する時点を基準として、大当り遊技の進行の早さ（大入賞口２５への入賞し易さ、遊技盤７における釘調整の良否）を判断することができない。
【００９２】
３．第３の実施形態
本第３の実施形態の遊技機１の構成及び作用は、基本的には前記第１の実施形態と同様であるが一部において相違する。以下では、相違点を中心に説明し、同様の部分の記載は省略乃至簡略化する。
【００９３】
本第３の実施形態では、確率変動状態のときの、特別演出の長さの設定方法が異なる。すなわち、低確率状態から、確率変動状態となった最初の大当り遊技では、表９に示すテーブルのうち、番号１の演出時間（５ｓｅｃ）を設定し、確率変動状態における２回目、３回目・・・の大当り遊技において設定する演出時間は、順に、番号２の演出時間（７ｓｅｃ）、番号３の演出時間（９ｓｅｃ）・・・とする。
【００９４】
【表９】
2010162201.tif 000011
このような特別演出の長さの設定方法を、確率変動状態が終了するまで続ける。確率変動状態が始まる前、又は確率変動状態が終了した後は、前記第１の実施形態と同様に特別演出の長さを設定する。
【００９５】
また、上記の方法ではなく、以下の方法であってもよい。すなわち、低確率状態から、確率変動状態となった最初の大当り遊技では、特別演出の長さをランダムに設定し、確率変動状態における２回目、３回目・・・の大当り遊技において設定する演出時間は、その前の大当り遊技で設定した長さに、所定の長さ（例えば２秒間）ずつ加算するようにしてもよい。
【００９６】
本第３の実施形態によれば、連続する大当り遊技において、後の大当り遊技になるほど、特別演出を除々に長くすることにより、楽曲の再生終了時に、大当り遊技が先まで進むようにできるので、大当り遊技の進行が早い（大入賞口２５へ入賞し易く、遊技盤７における釘調整が良い）という印象を遊技者に与えることができる。しかも、特別演出の長さが、大当り遊技ごとに、急に変わることがないので、特別演出の長さが変わったことに遊技者が気付き難く、違和感を持つことがない。
【００９７】
４．第４の実施形態
本第４の実施形態の遊技機１の構成及び作用は、基本的には前記第１の実施形態と同様であるが一部において相違する。以下では、相違点を中心に説明し、同様の部分の記載は省略乃至簡略化する。
【００９８】
本第４の実施形態では、特別演出の内容が、確変昇格演出ではなく、ラウンド数昇格演出である。すなわち、本第４の実施形態では、特別演出が開始される時点では、ラウンド表示ＬＥＤ３４（図１参照）に、最終的な（特別演出の終了後に表示される）ラウンド数ではなく、仮のラウンド数が表示されている。
【００９９】
特別演出が開始されると、図８（ａ）に示すように、図柄表示装置２１に、先ず、仮のラウンド数（図８の例では２Ｒ）が表示され、その後、１５Ｒ→２Ｒと変動表示され、最終的に１５Ｒが確定表示される。大当り遊技では、この最終的に確定表示されたラウンド数が実行される。
【０１００】
特別演出は、図８（ｂ）に示すものであってもよい。特別演出が開始されると、図８（ｂ）に示す立方体３０１の斜視図が表示される。図８（ｂ）に示す例では、立方体３０１の面のうち、視認できる３面には、それぞれ、２Ｒ、１５Ｒ、１５Ｒが表示されている。このうち、２Ｒは、特別演出が開始される時点でラウンド表示ＬＥＤ３４（図１参照）に表示されている仮のラウンド数である。また、上側の面に表示された１５Ｒは、最終的な（特別演出の終了後に表示される）ラウンド数である。特別演出が進行すると、立方体３０１の３面のうち、１面のみに特定の色が付され、その特定の色が付される面は、３面の中で変動する。最終的に、一つの面（図８（ｂ）の例では上面）に確定的に特定の色が付され、その面に表示された１５Ｒが最終的に確定する。大当り遊技では、この最終的に表示されたラウンド数が実行される。
【０１０１】
尚、本発明は前記実施の形態になんら限定されるものではなく、本発明を逸脱しない範囲において種々の態様で実施しうることはいうまでもない。
【０１０２】
例えば、前記各実施の形態では、確率変動状態のとき、特別演出の時間を、表５（又は表７）のテーブルから選択することで、短く設定するようにしているが、それに代えて、またはそれに加えて、時短状態のときは、特別演出の時間を、表５（又は表７）のテーブルから選択することで、短く設定するようにしてもよい。
【０１０３】
また、前記各実施の形態では、確率変動状態において、非特定大当り図柄を最終的に（昇格演出の後）停止表示し、確率変動状態を終了するとき、特別演出の時間を、表６（又は表８）のテーブルから選択することで、長く設定しているが、それに代えて、またはそれに加えて、時短が終了するとき、特別演出の時間を、表６（又は表８）のテーブルから選択することで、長く設定するようにしてもよい。
【０１０４】
また、前記第３の実施形態では、確率変動状態において大当りが連続するとき、後の大当り遊技ほど、特別演出の時間を徐々に長く設定するようにしているが、それに代えて、またはそれに加えて、時短状態のとき、特別演出の時間を徐々に長く設定するようにしてもよい。
【０１０５】
前記各実施の形態の遊技機１において、特別演出の終了後に停止表示される大当り図柄が特定大当り図柄である場合、時短を開始させることができる。また、時短となってから、非特定大当り図柄を停止表示するか、大当りの抽選（図３のステップ２０）を所定回数（例えば、５０回、１００回）行ったとき、時短状態を終了させることができる。
【０１０６】
遊技機１の電気的構成は、図９のブロック図に示すものであってもよい。この電気的構成では、図柄制御基板４３と音声制御基板４５との両方の機能を奏する演出制御基板５３を備えている。
【０１０７】
遊技機１の操作部１５は、携帯電話の入力キーのような、カーソルの上下、左右への移動を可能とする操作ボタンと、入力確定ボタンを備えているものであってもよい。その場合、操作ボタンにより、図７に示す画面において、カーソルを、「１」〜「３」の回答の選択肢のいずれかに移動させ、その後、入力確定ボタンを押圧することにより、回答することができる。
【０１０８】
前記第１、３、４の実施形態では、乱数を用いて直接、特別演出の長さを設定するのではなく、他のパラメータをランダムに設定し、そのパラメータに応じて特別演出の長さを設定してもよい。この場合も結果として、特別演出の長さをランダムに設定することができる。その具体的な態様としては、例えば、音声演出の長さを乱数に基づいてランダムに設定し、その音声演出の長さに合わせて、特別演出の長さを設定することができる。
【符号の説明】
【０１０９】
１・・・遊技機、３・・・外枠、５・・・内枠、７・・・遊技盤、８・・・遊技球、
９・・・ハンドル、１１・・・上受け皿、１３・・・下受け皿、１５・・・操作部、
１７・・・入賞口、１８・・・普通電動役物、２４・・・特別電動役物、
２５・・・大入賞口、２７・・・左入賞口、２９・・・右入賞口、
３１・・・特別図柄表示装置、３２・・・状態表示ＬＥＤ、
３３・・・特別図柄記憶表示装置、３４・・・ラウンド表示ＬＥＤ、３５・・・普通図柄始動ゲート、３７・・・普通図柄表示装置、３８・・・釘、
３９・・・普通図柄記憶表示装置、４１・・・主制御基板、４５・・・音声制御基板、
４７・・・払出制御基板、５１・・・電源基板、
１１９・・・左上スピーカ、１２９・・・右上スピーカ、２０１・・・円、
２０３・・・ポインタ、３０１・・・立方体、Ｍ１・・・発射モータ、Ｍ２・・・払出モータ、５３・・・演出制御基板
【図１】
2010162201.tif 000012
【図２】
2010162201.tif 000013
【図３】
2010162201.tif 000014
【図４】
2010162201.tif 000015
【図５】
2010162201.tif 000016
【図６】
2010162201.tif 000017
【図７】
2010162201.tif 000018
【図８】
2010162201.tif 000019
【図９】
2010162201.tif 000020